(57)【特許請求の範囲】
【請求項１】
ハンドレールの表面を清掃する清掃器を収納し、スカートガードのハンドレール出入口部外側の床面部に配置された本体ケースを有するエスカレーターのハンドレール清掃装置であって、
前記本体ケースと前記スカートガードとを固定するボルトであって、当該本体ケースの内部に備えられる前記ボルトと、
前記本体ケースの前記エスカレーターのステップ側の面に形成され、当該本体ケースの外部から内部に締緩工具を挿入可能な開口部とを有するハンドレール清掃装置。
【請求項２】
前記開口部は、前記締緩工具の頭部が挿入可能な頭部挿入部と、前記締緩工具の柄が挿入可能であり且つ当該柄が挿入された締緩工具が移動可能である柄部移動部と、を有してなる請求項１記載のハンドレール清掃装置。
【請求項３】
前記ボルトは、前記柄部移動部から挿入された締緩工具によって締緩可能な首上長さを有する請求項２記載のハンドレール清掃装置。
【請求項４】
前記本体ケースの下部は、前記エスカレーターのステップ側とは反対側に後退しており、前記頭部挿入部は、前記本体ケースの後退した部分に形成されてなり、前記柄部移動部は、当該頭部挿入部と連通し且つ当該頭部挿入部の上部に形成されてなる請求項２記載のハンドレール清掃装置。
【請求項５】
前記開口部は、前記挿入された締緩工具の頭部が前記ボルトの首上に嵌合可能な位置に形成されてなる請求項１記載のハンドレール清掃装置。
【発明の詳細な説明】
【技術分野】
【０００１】
本発明は、エスカレーターに備えられたハンドレールを清掃するハンドレール清掃装置に関する。
【背景技術】
【０００２】
エスカレーターのハンドレールは、前記エスカレーターの走行と共に周囲の塵埃が当該ハンドレールの表面に付着する。この塵埃が表面に付着したハンドレールは、前記ハンドレールの出入り口や、前記ハンドレールを駆動するハンドレール駆動機構に設けられたハンドレール駆動ローラーに接触することにより、前記ハンドレールの表面に前記塵埃（汚れ）が固着し、前記ハンドレールの見栄えが損なわれると共に、前記ハンドレールを掴む乗客に不快感を与えてしまう。
【０００３】
そこで、ハンドレールに汚れが固着することを防止するため、エスカレーターの走行と共に移動するハンドレールの表面の汚れを拭き取るハンドレール清掃装置が、前記エスカレーターに設置されている。
【０００４】
前記従来のハンドレール清掃装置として、例えば、スカートガードのハンドレール出入り口近傍にハンドレールによる巻き込みを検出して運転を停止するインレット安全装置を有し、前記ハンドレールの表面を清掃する清掃体を収納ケース内に収納して構成したエスカレーターのハンドレール清掃装置が提供されている。このハンドレール清掃装置は、前記ハンドレール出入口部外側の床面部に本体ケースを配置し、この本体ケース内に前記ハンドレール清掃装置を収納し、前記本体ケースの前面側に前記インレット安全装置を設けた構成を有することで、スカートガードを外すことなく、前記本体ケースの取り付けや、前記清掃体の交換作業を行なうことができる（例えば、特許文献１参照）。
【先行技術文献】
【特許文献】
【０００５】
【特許文献１】特開２００２−３１４２
【発明の概要】
【発明が解決しようとする課題】
【０００６】
ここで、エスカレーターのスカートガードを外して行なう作業の一つに駆動機構まわりの点検がある。また、エスカレーターに故障が発生した場合は、その原因究明、復旧作業のため、しばしばスカートガードを外す必要が生じる。
【０００７】
しかしながら、前述した従来のエスカレーターのハンドレール清掃装置は、前記本体ケースに隣接するインレット部のスカートガードの鉛直面に設けられた折り返し面（フランジ部）と、前記本体ケースの後側面（前記スカートガードの折り返し面と対向する面）とがボルトで締結されているため、前記スカートガードを外すためには前記本体ケースを外す必要があり、作業に相当な時間を要してしまうのが実状である。
【０００８】
本発明は、以上の点を考慮してなされたものであり、本体ケースを外すことなくスカートガードを取外すことができるハンドレール清掃装置を提供することを目的とする。
【課題を解決するための手段】
【０００９】
この目的を達成するため、本発明は、ハンドレールの表面を清掃する清掃器を収納し、スカートガードのハンドレール出入口部外側の床面部に配置された本体ケースを有するエスカレーターのハンドレール清掃装置であって、前記本体ケースは、前記スカートガードに対向する側面が、当該スカートガードの前記本体ケースに対向する側面にボルトによって固定されてなり、前記本体ケースの前記エスカレーターのステップ側の面に、当該本体ケースの外部から内部に前記ボルトを締緩する締緩工具を挿入する開口部を形成し、当該開口部から挿入した前記締緩工具によって、前記ボルトの締緩を行うハンドレール清掃装置を提供するものである。
【発明の効果】
【００１０】
本発明によれば、本体ケースに形成した開口部から挿入した締緩工具によって、前記本体ケースの内部において当該本体ケースをスカートガードに固定しているボルトの締緩を行うことができる。したがって、前記本体ケースを取り外すことなく、前記スカートガードを取り外すことができる。
【図面の簡単な説明】
【００１１】
【図１】本発明の実施形態に係るハンドレール清掃装置が配設されたエスカレーターの全体を示す側面図である。
【図２】図１に示すエスカレーターの一部を拡大して示す側面図である。
【図３】図１に示すハンドレール清掃装置を拡大して示す側面図である。
【図４】図３に示すハンドレール清掃装置を透視して示す側面図である。
【図５】図３に示すハンドレール清掃装置の右側から見た図（正面図）である。
【図６】本発明の実施形態に係るハンドレール清掃装置においてボルトを緩める作業の一部を示す図であり、図６（Ａ）は側面図、図６（Ｂ）は図６（Ａ）に示すＸ−Ｘ線に沿った断面図（但し、締緩工具は断面として記載していない）である。
【図７】本発明の実施形態に係るハンドレール清掃装置においてボルトを緩める作業の一部を示す図であり、図７（Ａ）は側面図、図７（Ｂ）は図７（Ａ）に示すＹ−Ｙ線に沿った断面図（但し、締緩工具は断面として記載していない）である。
【図８】本発明の実施形態に係るハンドレール清掃装置においてボルトを緩める作業の一部を示す図であり、図８（Ａ）は側面図、図８（Ｂ）は図８（Ａ）に示すＺ−Ｚ線に沿った断面図（但し、締緩工具は断面として記載していない）である。
【発明を実施するための形態】
【００１２】
次に、本発明の実施形態に係るハンドレール清掃装置について図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。
【００１３】
図１は、本発明の実施形態に係るハンドレール清掃装置が配設されたエスカレーターの全体を示す側面図、図２は、図１に示すエスカレーターの一部を拡大して示す側面図、図３は、図１に示すハンドレール清掃装置を拡大して示す側面図、図４は、図３に示すハンドレール清掃装置を透視して示す側面図、図５は、図３に示すハンドレール清掃装置の右側から見た図（正面図）、図６〜図８は、本発明の実施形態に係るハンドレール清掃装置においてボルトを緩める作業の一部を示す図である。
【００１４】
図１及び図２に示すように、本発明の実施形態に係るハンドレール清掃装置が配設されたエスカレーター１は、下階床２と上階床３との間に配置されている。このエスカレーター１は、トラス４と、図示しない複数のステップと同期して移動するハンドレール５を備えた欄干６と、ハンドレール５の出入口外床部７に配置されたハンドレール清掃装置８と、ハンドレール清掃装置８の上階床３側に隣接して配置されたインレット部スカートガード９と、インレット部スカートガード９の上階床３側に隣接して配置された下部Ｒ部スカートガード１０を備えている。また、このエスカレーター１には、ハンドレール出入り口近傍にハンドレール５による巻き込みを検出して運転を停止するインレット安全装置２３が配設されている。
【００１５】
インレット部スカートガード９は、後に詳述するハンドレール清掃装置８側が内側に略Ｌ字状に屈曲されたフランジ部９ｂ（図４参照）となっている。フランジ部９ｂは、ハンドレール清掃装置８の後述する本体ケース８ａのフランジ部８ｂと接触するようになっており、このフランジ部９ｂには、インレット部スカートガード９とハンドレール清掃装置８とを固定する後述するボルト２０が螺合するボルト穴１１（図４参照）が開口されている。そして、このインレット部スカートガード９は、複数の固定ビス１２によって、ハンドレール清掃装置８の鉛直方向と平行に、図示しないフレームに固定されている。
【００１６】
下部Ｒ部スカートガード１０は、上階床３方向に逆扇形状を有しており、複数の固定ビス１２によって、図示しないフレームに固定されている。この下部Ｒ部スカートガード１０は、インレット部スカートガード９と面一に固定されている。このため、下部Ｒ部スカートガード１０を取り外すためには、ハンドレール清掃装置８と平行に設けられたインレット部スカートガード９を外す必要がある。
【００１７】
次に、本発明の実施形態に係るハンドレール清掃装置８について詳細に説明する。ハンドレール清掃装置８は、図４に示すように、ハンドレール５の表面を清掃する清掃器２２を内部に収納する本体ケース８ａを有している。
【００１８】
本体ケース８ａは、上階床３側（即ち、インレット部スカートガード９のフランジ部９ｂに対向する側）が内側に略Ｌ字状に屈曲されたフランジ部８ｂ（図４参照）となっている。このフランジ部８ｂのボルト穴１１に対向する位置には、ボルト穴１１と連通し、ボルト２０が挿入されるボルト穴１３が形成されている。この本体ケース８ａの下部は、図５に示すように、図示しないステップ側とは反対側に後退した段差形状を呈する後退部１４となっている。この本体ケース８ａは、固定ビス１５によって、図示しないフレームに固定されている。
【００１９】
また、本体ケース８ａの図示しないステップ側の面であって、インレット部スカートガード９の近傍には、図３及び図５〜図８に示すように、本体ケース８ａの外部から内部にボルト２０を締緩するスパナ等の締緩工具５０（図６〜図８参照）を挿入する開口部３０が貫通形成されている。
【００２０】
開口部３０は、締緩工具５０の頭部５１が挿入可能な頭部挿入部３１と、締緩工具５０の柄部５２が挿入可能であり且つ柄部５２が挿入された締緩工具５０が移動可能である柄部移動部３２を有している。この開口部３０は、挿入された締緩工具５０の頭部５１がボルト２０の首上に嵌合可能な位置に形成されている。
【００２１】
頭部挿入部３１は、本体ケース８ａの後退部１４に形成されており、図６（Ａ）及び図６（Ｂ）に示すように、水平方向にした締緩工具５０の頭部５１が本体ケース８ａ内に挿入可能な寸法を有している。このように、後に詳述する柄部移動部３２よりも比較的幅方向の長さ（略水平方向の長さ）が大きくなる頭部挿入部３１を後退部１４に形成することで、頭部挿入部３１が乗客から離れた位置となり、安全面や視覚面も向上させることができる。
【００２２】
柄部移動部３２は、図６（Ａ）〜図８（Ｂ）に示すように、頭部挿入部３１と連続してその上部に連通形成されており、に示すように、水平方向から略９０度回転させた締緩工具５０（図６（Ｂ）、図７（Ｂ）及び図８（Ｂ）参照）の柄部５２が垂直方向に移動可能な幅（略水平方向の長さ）を有している。このように、柄部移動部３２は、締緩工具５０の柄部５２の厚さより若干長い幅にすることで、締緩工具５０を垂直方向に移動させることができる。したがって、柄部移動部３２の幅を極力狭くすることができ、安全面や視覚面も向上させることができると共に、大きな異物等がハンドレール清掃装置８内に侵入することを防止することもできる。また、柄部移動部３２の長さ（略垂直方向の長さ）は、挿入した締緩工具５０の頭部５１によってボルト２０を締緩できる位置まで延びている。なお、締緩工具５０は、頭部挿入部３１と柄部移動部３２との境界部分において、水平方向から垂直方向に、あるいは垂直方向から水平方向に回転可能となっている。
【００２３】
ボルト２０は、図４に示すように、首下２０ａがインレット部スカートガード９のフランジ部９ｂに開口されたボルト穴１１に螺合し、首上２０ｂが本体ケース８ａのフランジ部８ｂに開口されたボルト穴１３から本体ケース８ａの内部に延出している。このボルト２０は、首上２０ｂをスパナ等の締緩工具５０（図６〜図８参照）によって締め付けることで、ボルト穴１１に螺合して、フランジ部９ｂとフランジ部８ｂとを固定することで、インレット部スカートガード９とハンドレール清掃装置８とを固定し、締緩工具５０によって緩めることで、両者の固定を解除する。
【００２４】
また、ボルト２０の首上２０ｂは、柄部移動部３２に挿入された締緩工具５０の頭部５１が嵌合可能な長さに設定されている。
【００２５】
次に、本実施形態に係るハンドレール清掃装置８が配設されたエスカレーター１からインレット部スカートガード９を取り外す手順について図６（Ａ）〜図８（Ｂ）を参照して説明する。
【００２６】
先ず、本体ケース８ａとインレット部スカートガード９とを固定しているボルト２０に適合する締緩工具５０を水平方向にし、図６（Ａ）及び図６（Ｂ）に示すように、本体ケース８ａに形成された頭部挿入部３１に締緩工具５０の頭部５１を挿入する。
【００２７】
次に、図７（Ａ）及び図７（Ｂ）に示すように、頭部挿入部３１と柄部移動部３２との境界部分（あるいは、その付近）において、締緩工具５０を水平方向から垂直方向に回転させ、締緩工具５０の柄部５２を柄部移動部３２に挿入する。
【００２８】
次いで、図８（Ａ）及び図８（Ｂ）に示すように、柄部５２が柄部移動部３２に挿入された締緩工具５０を上方に移動させ、頭部５１をボルト２０の首上２０ｂに嵌合させる。このとき、締緩工具５０は、回動可能な状態にあるので、頭部５１をボルト２０の首上２０ｂに嵌合させた状態で、締緩工具５０をボルト２０が緩む方向に回動させることができる。このようにしてボルト２０を緩めることで、インレット部スカートガード９のフランジ部９ｂに形成されているボルト穴１１からボルト２０の首下２０ａが離れ（抜け）る。この動作により、インレット部スカートガード９のフランジ部９ｂと、本体ケース８ａのフランジ部８ｂとの固定が解除される。
【００２９】
その後、インレット部スカートガード９を図示しないフレームに固定している固定ビス１２を外すことで、インレット部スカートガード９を外すことができる。
【００３０】
このように、本実施形態に係るハンドレール清掃装置８は、本体ケース８ａの外部から内部に締緩工具５０を挿入させることで、ボルト２０を緩めることができるため、本体ケース８ａを外すことなく、インレット部スカートガード９を取り外すことができる。そして、インレット部スカートガード９を取り外せば、下部Ｒ部スカートガード１０の片側に空隙ができるため、固定ビス１２を外せば下部Ｒ部スカートガード１０を取り外すことができる。
【００３１】
なお、インレット部スカートガード９フランジ部９ｂに形成したボルト穴１１に所望の長さのボスを形成することで、ボルト穴１１からボルト２０の首下２０ａが離れ（抜け）た際に、ボルト２０が落下することを防止することができる。
【００３２】
また、インレット部スカートガード９を取り付ける際は、図６（Ａ）〜図７（Ｂ）に記載した手順と同様の手順で本体ケース８ａの外部から内部に締緩工具５０を挿入させた後、図８（Ａ）及び図８（Ｂ）に示すように、柄部５２が柄部移動部３２に挿入された締緩工具５０を上方に移動させ、頭部５１をボルト２０の首上２０ｂに嵌合させ、ボルト２０を締めればよい。
【００３３】
なお、本実施形態では、開口部３０を頭部挿入部３１及び柄部移動部３２により形成した場合について説明したが、これに限らず、開口部３０は、本体ケース８ａの外部から内部に締緩工具５０を挿入することが可能であり且つ締緩工具５０によってボルト２０を締緩することが可能であれば、他の形状、例えば、垂直方向にした締緩工具５０の頭部５１が挿入可能であり、挿入した締緩工具５０の頭部５１によってボルト２０を締緩できる位置まで延びている形状であれば、特に限定されるものではない。
【００３４】
また、ボルト２０の首上２０ｂは、柄部移動部３２に挿入された締緩工具５０の頭部５１が嵌合可能な長さに設定されているが、この長さは、開口部３０の形成位置との関係により任意に設定することができる。即ち、開口部３０がフランジ部８ｂから遠い位置に形成されている場合は、必然的に首上２０ｂは長くなり、開口部３０がフランジ部８ｂから近い位置に形成されている場合は、首上２０ｂは短くすることができる。したがって、開口部３０の位置及びボルト２０の首上２０ｂの長さは、柄部移動部３２に挿入された締緩工具５０の頭部５１でボルト２０の首上２０ｂを嵌合可能であれば、エスカレーター１の構成や設置位置等の諸条件や、ハンドレール清掃装置８の内部構造等に応じて、任意に設定することができる。
【００３５】
また、ハンドレール清掃装置８の内部に、ボルト２０の周囲を照らす照明を設置することで、ボルト２０の締緩作業の効率をさらに向上させることができる。
【００３６】
さらにまた、頭部挿入部３１及び／または柄部移動部３２を覆うカバーを設置することで、安全面や視覚面をさらに向上させることができる。このカバーは、所望により開口部３０の少なくとも一部を覆う構成であればよい。
【符号の説明】
【００３７】
１…エスカレーター、５…ハンドレール、８…ハンドレール清掃装置、８ａ…本体ケース、８ｂ、９ｂ…フランジ部、９…インレット部スカートガード、１０…下部Ｒ部スカートガード、１１、１３…ボルト穴、１２…固定ビス、１４…後退部、２０…ボルト、２０ａ…首下、２０ｂ…首上、３０…開口部、３１…頭部挿入部、３２…柄部移動部、５０…締緩工具、５１…頭部、５２…柄部
【図１】
0006342373.tif 000002
【図２】
0006342373.tif 000003
【図３】
0006342373.tif 000004
【図４】
0006342373.tif 000005
【図５】
0006342373.tif 000006
【図６】
0006342373.tif 000007
【図７】
0006342373.tif 000008
【図８】
0006342373.tif 000009